(57)【要約】【課題】複数のジョブを受け付けて並行処理を行うものであって，後のジョブによって先のジョブが影響を受けることを防止した多機能画像取扱装置を提供すること。【解決手段】本発明のＭＦＰ１は，２以上の画像取扱部（各機能部１１〜１５）を有し，画像に関するジョブを受け付けて，１以上の画像取扱部を用いてジョブを実行する装置であって，ジョブの実行中に新たなジョブを受け付けた際に，実行中のジョブの種類および新たなジョブの種類に応じて，実行中のジョブと並行して新たなジョブを実行することの可否を決定するジョブ制御部２３と，ジョブ制御部２３により可と決定された場合には，実行中のジョブの終了を待たずに新たなジョブの実行を開始させ，ジョブ制御部２３により否と決定された場合には，実行中のジョブが終了するまで，新たなジョブの実行を待機させるものである。【選択図】            図２
2006270615.tif 000002
【特許請求の範囲】
【請求項１】
２以上の画像取扱部を有し，画像に関するジョブを受け付けて，１以上の画像取扱部を用いてジョブを実行する多機能画像取扱装置において，
ジョブの実行中に新たなジョブを受け付けた際に，実行中のジョブの種類および新たなジョブの種類に応じて，実行中のジョブと並行して新たなジョブを実行することの可否を決定する並行処理決定部と，
前記並行処理決定部により可と決定された場合に，実行中のジョブの終了を待たずに新たなジョブの実行を開始させる新ジョブ開始部と，
前記並行処理決定部により否と決定された場合に，実行中のジョブが終了するまで，新たなジョブの実行を待機させる新ジョブ待機部とを有することを特徴とする多機能画像取扱装置。
【請求項２】
請求項１に記載の多機能画像取扱装置において，前記並行処理決定部は，
新たなジョブの種類が，実行中のジョブの処理速度を低下させるものである場合に否と決定することを特徴とする多機能画像取扱装置。
【請求項３】
請求項１または請求項２に記載の多機能画像取扱装置において，
前記２以上の画像取扱部に画像形成部が含まれ，
画像取扱に関するデータを可動式記憶媒体に記憶する可動式記憶部を有し，
前記並行処理決定部は，実行中のジョブの種類が前記可動式記憶部へのアクセスを伴うものであり，新たなジョブの種類が前記画像形成部による単色プリントを含むものである場合に否と決定することを特徴とする多機能画像取扱装置。
【請求項４】
請求項１に記載の多機能画像取扱装置において，前記並行処理決定部は，
実行中のジョブの種類と新たなジョブの種類との組み合わせごとに，実行中のジョブと並行して新たなジョブを実行することの可否をあらかじめ定めた可否テーブルを有することを特徴とする多機能画像取扱装置。
【発明の詳細な説明】
【技術分野】
【０００１】
本発明は，コピー，プリント等の複数の機能を有する多機能画像取扱装置に関する。さらに詳細には，その本体内に，ＨＤＤ等の可動式記憶装置を有する多機能画像取扱装置に関するものである。
【背景技術】
【０００２】
従来より，例えば，コピー機能，プリント機能，ＦＡＸ機能等の複数の機能を１台に有する多機能の画像取扱装置がある。さらに，記憶装置を有して，複数のジョブを順次受け付けて，その処理内容や画像データを記憶できるものも多い。そして，先のジョブが終わり次第，次のジョブを自動的に実行開始する。また，さらに効率よく複数のジョブを処理するために，先のジョブと後のジョブとの使用機能が異なる場合には，複数のジョブを並行して動作させる技術が提案されている（例えば，特許文献１参照。）。
【０００３】
また，このような画像取扱装置では一般に，ＲＡＭ等の画像メモリのみでなくＨＤＤ等の磁気記憶装置を備えることにより，大容量の画像データにも対応できるようにされている。このＨＤＤ等のドライブは，振動による読み取りエラーや媒体の傷等を防止するために，大きな振動を受けると自動的に処理パフォーマンスを低下させるようになっている。また，ＨＤＤ自体からもある程度の振動が生じるため，それらの振動の影響を防止する技術が提案されている（例えば，特許文献２参照。）。この文献に記載の技術では，ＨＤＤ本体の下面に防振ゴムを介して重りが取りつけられている。
【特許文献１】特開平９−１６３０６１号公報
【特許文献２】特開平７−１０６７７５号公報
【発明の開示】
【発明が解決しようとする課題】
【０００４】
しかしながら，前記した従来の多機能画像取扱装置では，以下のような問題点があった。例えば，モノクロプリント等の高速プリント処理を実行するときには，各部がかなり高速で駆動される。そのため，装置全体のある程度の振動は避けられない。画像形成処理のさらなる高速化に伴い，上記の特許文献２に記載のような防振ゴム等を用いても防止しきれないほどの振動が発生するおそれがある。そのような振動の大きい処理とＨＤＤのアクセスを伴う処理との組み合わせにおいて，特許文献１の技術のように複数のジョブを並行して動作させた場合，ＨＤＤの処理パフォーマンスが低下し，全体としてジョブの処理時間が長くなるおそれがあるという問題点があった。
【０００５】
あるいは，振動に強い高性能のＨＤＤもあるが，このようなＨＤＤは高価なものであるため，装置全体の高価格化を招くおそれがあった。
【０００６】
本発明は，前記した従来の多機能画像取扱装置が有する問題点を解決するためになされたものである。すなわちその課題とするところは，複数のジョブを受け付けて並行処理を行うものであって，後のジョブによって先のジョブが影響を受けることを防止した多機能画像取扱装置を提供することにある。
【課題を解決するための手段】
【０００７】
この課題の解決を目的としてなされた本発明の多機能画像取扱装置は，２以上の画像取扱部を有し，画像に関するジョブを受け付けて，１以上の画像取扱部を用いてジョブを実行する多機能画像取扱装置であって，ジョブの実行中に新たなジョブを受け付けた際に，実行中のジョブの種類および新たなジョブの種類に応じて，実行中のジョブと並行して新たなジョブを実行することの可否を決定する並行処理決定部と，並行処理決定部により可と決定された場合に，実行中のジョブの終了を待たずに新たなジョブの実行を開始させる新ジョブ開始部と，並行処理決定部により否と決定された場合に，実行中のジョブが終了するまで，新たなジョブの実行を待機させる新ジョブ待機部とを有するものである。
【０００８】
本発明によれば，実行中のジョブと新たなジョブとを並行して実行するかどうかが，それぞれのジョブの種類に応じて決定される。例えば，新たなジョブを並行処理すると，実行中のジョブに悪影響を与えるおそれがある場合には，新たなジョブを待機させる。そして，新たなジョブによって実行中のジョブが影響を受けるおそれがない場合には，並行処理される。従って，複数のジョブを受け付けて並行処理を行うものであって，後のジョブによって先のジョブが影響を受けることが防止されている。なお，ここで画像取扱部とは，例えば，ＦＡＸ部，スキャナ部，プリント部等の画像に関する処理を行う機能部のことであり，これらの機能部の少なくとも１つを有する装置を画像取扱装置と呼ぶ。
【０００９】
さらに，本発明では，並行処理決定部は，新たなジョブの種類が，実行中のジョブの処理速度を低下させるものである場合に否と決定することが望ましい。
このようなものであれば，新たなジョブの実行によって，実行中のジョブの処理速度が低下されることはない。
【００１０】
さらに，本発明では，２以上の画像取扱部に画像形成部が含まれ，画像取扱に関するデータを可動式記憶媒体に記憶する可動式記憶部を有し，並行処理決定部は，実行中のジョブの種類が可動式記憶部へのアクセスを伴うものであり，新たなジョブの種類が画像形成部による単色プリントを含むものである場合に否と決定することが望ましい。
可動式記憶部へのアクセスを伴うジョブは一般に，大きい振動を受けるとパフォーマンスが低下する。一方，単色プリントを含むジョブは一般に，高速で駆動される駆動部分があり，大きい振動が発生する場合がある。そのため，これらのジョブを並行処理すると，実行中のジョブのパフォーマンスが低下する。本発明では，このようなジョブの組み合わせの場合には，新たなジョブが待機されるので，実行中のジョブのパフォーマンスを低下させるおそれはない。
【００１１】
さらに，本発明では，並行処理決定部は，実行中のジョブの種類と新たなジョブの種類との組み合わせごとに，実行中のジョブと並行して新たなジョブを実行することの可否をあらかじめ定めた可否テーブルを有することが望ましい。
このようなものであれば，並行処理決定部は，可否テーブルを参照することにより，並行処理するかどうかを容易に判断できる。
【発明の効果】
【００１２】
本発明の多機能画像取扱装置によれば，複数のジョブを受け付けて並行処理を行うものであって，後のジョブによって先のジョブが影響を受けることが防止されている。
【発明を実施するための最良の形態】
【００１３】
以下，本発明を具体化した最良の形態について，添付図面を参照しつつ詳細に説明する。本形態は，コピー機能，プリント機能，スキャン機能，ＦＡＸ送受信機能等の各種機能を１台に備えたＭＦＰ（Ｍｕｌｔｉ  Ｆｕｎｃｔｉｏｎ  Ｐｒｉｎｔｅｒ）に本発明を適用したものである。
【００１４】
本形態のＭＦＰ１は，図１に示すように，装置全体の制御を司るコントローラ１０と，各機能の動作を行うＦＡＸ部１１，スキャナ部１２，データ入出力部１３，プリント部１４等をそれぞれ有している。さらに，画像データの処理を行う画像処理部１５，静的な記憶装置であるメモリ１６，可動式の記憶装置であるＨＤＤ１７も有している。また，ユーザによって操作され，ジョブの入力等を受ける操作パネル３０をも有している。これらの各装置の間では，互いに画像データや制御データの送受信が行われる。
【００１５】
ＦＡＸ部１１は，公衆電話回線１８に接続され，ＦＡＸデータの送受信を行う。スキャナ部１２は，載置された原稿等の画像を読み込んで画像データとして入力する。データ入出力部１３は，ＰＣ１９等の外部機器に接続され，画像データや各種処理データ等の入出力を行う。プリント部１４は，画像データを受けて用紙等にプリント処理する。ここでは，プリント部１４は，カラープリント機能とモノクロプリント機能とをともに有するものとする。画像処理部１５は，画質向上等のために画像データを適宜処理する。これらはいずれも，従来のものと同様の一般的なものである。
【００１６】
またメモリ１６は，処理速度が高速で振動の影響を受けない記憶装置である。ただし，価格や大きさ等の制限から，その記憶容量はある程度制限されている。そのため，一時的な記憶やあまり大量でない画像データの記憶等に使用される。ＨＤＤ１７は，記憶媒体を回転駆動制御する可動式の記憶装置であり，回転駆動中に大きな振動を受けることは望ましくない。そのため，筐体等の振動によって，その処理パフォーマンスが自動的に変更されるように，駆動制御されている。ＨＤＤ１７以外にも，例えばＣＤ，ＤＶＤ等の光記憶媒体を用いた可動式記憶装置を有している場合には，これらの各装置についても同様である。これらは，大量の画像データ等を記憶する場合に使用される。
【００１７】
コントローラ１０は，図２に示すように，ジョブ受信部２１，ジョブ処理部２２，ジョブ制御部２３，ＨＤＤ処理部２４，ＨＤＤ状態検知部２５の各部を有している。ジョブ受信部２１は，操作パネル３０，ＦＡＸ部１１，データ入力部１３等から新たなジョブを受信する。ジョブ処理部２２は，各機能部（ＦＡＸ部１１，スキャナ部１２，データ入出力部１３，プリント部１４，画像処理部１５）に対する処理実行の指示等を行う。ジョブ制御部２３は，受信した各ジョブの実行タイミングの制御等を行う。ＨＤＤ処理部２４は，ＨＤＤ１７の動作処理を行う。ＨＤＤ状態検知部２５は，ＨＤＤ１７の動作状態を検知する。これらの各部の間で，図中矢印で示したように，制御データや画像データの送受信が行われる。
【００１８】
ここで，各ジョブの種類に応じて，各機能部１１〜１５の実行による振動の大きさの例を図３に示す。例えば，モノクロコピー（スキャン＋モノクロプリントに相当する。）処理やモノクロプリント処理では，プリント部１４が，例えば４５枚／分と高速で駆動される。そのため，これらの各処理の実行時には，ＭＦＰ１は大きな振動を受ける。一方，カラーコピー処理やカラープリント処理では，画像処理や印刷処理に比較的時間がかかるため，例えば１１枚／分程度とモノクロの場合と比較してかなり低速での駆動となる。従って，これらの処理ではさほど振動は大きくない。
【００１９】
また，スキャン処理やＦＡＸ処理は，振動の大きい処理が含まれないのでＭＦＰ１に与える振動は小さい。なおここでは，ＦＡＸ処理としては，データの送受信処理部分のみとしている。すなわち，ＦＡＸ送信前のスキャン処理や，ＦＡＸ受信後のデータのプリント処理を含まないものである。これらの処理はそれぞれ個別の処理として取り扱われる。すなわち，振動の大きいモノクロコピー処理やモノクロプリント処理とＨＤＤ１７のアクセスとを同時に行うと，ＨＤＤ１７のパフォーマンスが低下することがわかる。
【００２０】
そこで，各ジョブの組み合わせによる処理方法を，図４に示すように，ジョブ制御データ４０としてメモリ１６に記憶させておく。このジョブ制御データ４０には，図３に示した６種類のジョブのうち，計２６種類のジョブの組み合わせが登録されている。ここでは，同じジョブの組み合わせの場合は，並行処理することが不可能なので省略している。また，モノクロコピーとカラーコピー，あるいはモノクロプリントとカラープリントという組み合わせも同じ種類のジョブであり，並行処理することが不可能なので省略している。このジョブ制御データ４０は，受信済みの２つのジョブのうち，先に受信したジョブ（あるいは優先順位の上位のジョブ）を「第１のジョブ」，後で受信したジョブ（あるいは優先順位の下位のジョブ）を「第２のジョブ」とし，これらのジョブの組み合わせに応じてジョブを並行処理するかあるいは待機させるかをまとめたデータである。
【００２１】
例えば，登録番号１のジョブの組み合わせでは，第１のジョブがモノクロプリントであり，第２のジョブがモノクロコピーである。この組み合わせの場合，ジョブの種類は異なるものの，同じプリント部１４を使用するジョブ同士であり，実際には並行処理は不可能である。他にも，登録番号２，５，６，９，１０，１３，１４の組み合わせも同様である。
【００２２】
また，登録番号３のジョブの組み合わせでは，第１のジョブがスキャンであり，第２のジョブがモノクロコピーである。スキャンジョブは，一般にＨＤＤ１７にアクセスする処理であり，モノクロコピーは，図３に示すように振動の大きい処理である。従って，この組み合わせで並行処理を行うと，第２のジョブの影響を受けて，第１のジョブが低速化してしまう。そこで，この場合には第２のジョブは並行処理されずに待機される。このように，並行処理をしないで待機させる組み合わせが本形態のジョブ制御の対象となるものである。他にも，登録番号４，１１，１２の組み合わせも同様である。
【００２３】
また，登録番号７のジョブの組み合わせでは，第１のジョブがスキャンであり，第２のジョブがカラーコピーである。スキャンジョブは，一般にＨＤＤ１７にアクセスする処理であるが，カラーコピーは，図３に示すように振動の小さい処理である。従って，これらのジョブを同時に処理しても，互いに影響はほとんど無い。そのため，この組み合わせでは並行処理を実行する。他にも，登録番号８，１５〜２６の各組み合わせも同様である。
【００２４】
次に，本形態のＭＦＰ１の動作を説明する。ＭＦＰ１では，ジョブ受信部２１によってジョブが順次受け付けられて，それぞれの優先順位と処理内容が記憶される。そして，優先順位が上位のジョブから順に実行される。さらに，優先順位が２位以下のジョブは，ジョブ制御部２３によってその実行あるいは待機が判断され，上位のジョブのパフォーマンスに影響のない範囲で並行して実行される。すなわち，既に実行開始されているジョブとの組み合わせがジョブ制御の対象となるジョブは待機される。一方で，さらに優先順位が下位のジョブであっても，実行中のジョブに影響を与えることなく並行処理可能なジョブは，先に実行開始される。ここで，優先順位としては，ジョブの受信順としてもよいし，他の優先順位パラメータによるものであってもよい。
【００２５】
具体的には，優先順位が上位のジョブがＨＤＤ１７にアクセスする処理であり，かつ下位のジョブがモノクロコピーまたはモノクロプリントである場合は，下位のジョブの実行を開始させない。上位のジョブのパフォーマンスが低下するからである。また，同じジョブの同士や同じ機能部１１〜１４を使用するジョブは基本的に並行処理できない。そして，それ以外の組み合わせの場合では，２以上のジョブを並行処理させて，ジョブ処理の待ち時間を短縮させる。ジョブ制御部２３は，各ジョブの実行あるいは待機を判断し，実行するジョブについてはジョブ処理部２２に指示を送信して，各機能部１１〜１５の動作を開始させる。
【００２６】
また，実行中のいずれかのジョブが終了した場合には，ジョブ処理部２２を介してジョブ制御部２３に完了信号が送信される。ジョブ制御部２３は，終了したジョブの処理内容の記憶を削除し，それより下位のジョブの優先順位を繰り上げる。そして，上記と同様に各ジョブの実行あるいは待機を判断する。そのため，例えばジョブ制御の対象となって待機されていたジョブが，実行開始される。あるいは，優先順位が下位であっても先に実行開始されていたジョブが，新たに開始されるジョブとの並行処理が不可能となって，中断され待機される場合もある。
【００２７】
次に，本形態のジョブ制御処理について，図５と図６のフローチャートを参照して説明する。図５は，２つのジョブを受信した場合における，実行あるいは待機の判断処理の例であり，図６は新たなジョブを受信した時の新規ジョブ処理を示している。
【００２８】
まず，図５のフローチャートに基づいて，待機しているジョブがない状態で，２つのジョブを続いて受信した場合の処理について説明する。処理の開始から，まずジョブ受信部２１によって第１のジョブが受信される（Ｓ１０１）。この段階では，ＭＦＰ１にとって唯一の未処理ジョブであるので，直ちに実行開始される（Ｓ１０２）。すなわち，ジョブ制御部２３は，ジョブ処理部２２によって，第１のジョブの内容に応じた各機能部１１〜１４の動作を開始する。
【００２９】
次に，この第１のジョブを実行中に，ジョブ受信部２１が第２のジョブを受信する（Ｓ１０３）。ここでは，この第２のジョブは第１のジョブと同種のジョブではないものとする。次に，コントローラ１０のＨＤＤ状態検知部２５によって，第１のジョブがＨＤＤ１７にアクセスしているかどうかを検知する（Ｓ１０４）。アクセスしていない場合には（Ｓ１０４：Ｎｏ），処理速度への影響はほとんど無いので，直ちに第２のジョブの実行を開始する（Ｓ１０８）。
【００３０】
あるいは，第１のジョブがＨＤＤ１７へのアクセスを行っている場合には（Ｓ１０４：Ｙｅｓ），ジョブ制御部２３は，メモリ１６に記憶されているジョブ制御データ４０を読み出し，第１のジョブと第２のジョブとの関係がジョブ制御の対象となるかどうかを判断する（Ｓ１０５）。ジョブ制御の対象となっていない場合には（Ｓ１０５：Ｎｏ），直ちに第２のジョブの実行を開始する（Ｓ１０８）。
【００３１】
第１のジョブと第２のジョブとの組み合わせがジョブ制御の対象であった場合には（Ｓ１０５：Ｙｅｓ），第２のジョブの実行を開始せず，待機させる（Ｓ１０６）。そして，第１のジョブが終了するまで待つ（Ｓ１０７）。第１のジョブが終了したら（Ｓ１０７：Ｙｅｓ），第２のジョブの実行を開始する（Ｓ１０８）。そして，第１，第２のジョブがともに終了すれば（Ｓ１０９：Ｙｅｓ），この処理を終了する。
【００３２】
次に，図６のフローチャートに基づいて，新たなジョブを受信したときに実行される新規ジョブ処理ルーチンについて説明する。この処理は，受信した新規ジョブをすぐに実行するか待機させるかを判断する処理である。まず，新規ジョブを受信したときに，既に実行中のジョブが有るかどうかを判断する（Ｓ２０１）。実行中のジョブがなければ（Ｓ２０１：Ｎｏ），新規ジョブを直ちに開始する（Ｓ２０２）。この場合は，これでこの処理は終了である。
【００３３】
あるいは，実行中のジョブがある場合には（Ｓ２０１：Ｙｅｓ），新規ジョブと同種の機能を使用するジョブが実行されているかどうかを判断する（Ｓ２０３）。例えば，モノクロプリントジョブとカラープリントジョブのように，同じ機能部（ここでは，プリント部１４）を使用するジョブは，同時に実行することはできない。そこで，新規ジョブと同種の機能を使用するジョブが実行中である場合には（Ｓ２０３：Ｙｅｓ），新規ジョブは待機させる（Ｓ２０４）。
【００３４】
次に，同種の機能を使用するジョブを実行中ではない場合には（Ｓ２０３：Ｎｏ），実行中のジョブがＨＤＤ１７にアクセスしているかどうかを判断する（Ｓ２０５）。複数のジョブを同時に実行中である場合には，そのすべてのジョブについて判断を行う。実行中のジョブのうちにＨＤＤ１７にアクセスしているジョブがない場合には（Ｓ２０５：Ｎｏ），新規ジョブの実行を開始する（Ｓ２０６）。
【００３５】
実行中のジョブのうちにＨＤＤ１７にアクセスしているジョブがある場合には（Ｓ２０５：Ｙｅｓ），メモリ１６に記憶されているジョブ制御データ４０を読み出し，新規ジョブがジョブ制御の対象となっているジョブであるかどうかを判断する（Ｓ２０７）。ジョブ制御の対象となっていない場合には（Ｓ２０７：Ｎｏ），直ちに新規ジョブの実行を開始する（Ｓ２０６）。ジョブ制御の対象となっている場合には（Ｓ２０７：Ｙｅｓ），新規ジョブは待機させる（Ｓ２０８）。以上で，この新規ジョブ処理ルーチンの説明を終了する。
【００３６】
また，実行中のいずれかのジョブが終了したときには，それより下位であったジョブの優先順位が，それぞれ繰り上げられる。そして，ジョブ制御部２３は，図６のフローチャートと同様の処理によって，新たな優先順位の高いものから実行あるいは待機を判断する。
【００３７】
次に例えば，第１のジョブがスキャンであり，第２のジョブがモノクロプリントである場合のジョブ処理時間について試算した。ＨＤＤ１７の転送速度は，振動のない状態では３０ＭＢ／ｓであり，振動の大きい状態では１０ＭＢ／ｓとした。スキャンとモノクロプリントとのいずれもＨＤＤ１７のアクセスを行い，それぞれの処理容量は４８０ＭＢずつとした。これらのジョブがほぼ同時に受信されたとする。
【００３８】
この場合，本形態のジョブ処理を行うと，これらのジョブの組み合わせはジョブ制御の対象となり，並行処理はされない。そのため，まずスキャンジョブのみを処理して次にモノクロプリントジョブを処理することとなる。スキャンジョブは，４８０ＭＢを３０ＭＢ／ｓで処理できるので，約１６ｓで終了する。続いて，モノクロプリントジョブは，４８０ＭＢを１０ＭＢ／ｓで処理することとなり，約４８ｓかかる。すなわち，合計で処理時間は６４ｓかかることになる。
【００３９】
一方，従来のようにジョブ制御を行わずに並行処理をした場合には，両ジョブとも同時に実行される。この場合，両ジョブがいずれも１０ＭＢ／ｓでＨＤＤ１７にアクセスすることとなる。従って，９６０ＭＢを１０ＭＢ／ｓで処理することとなり，合計の処理時間は９６ｓかかることとなる。従って，本形態のジョブ制御を行うことで，第１のジョブの終了が早くなるのみでなく，合計のジョブ処理時間も短縮されることが分かった。
【００４０】
以上詳細に説明したように，本形態のジョブ制御処理を行うＭＦＰ１のジョブ制御部２３では，２以上のジョブを受信したとき，それらを並行処理するかどうかをジョブ制御データ４０に基づいて判断する。そして，後のジョブの動作が前のジョブのパフォーマンスに影響を与えるものである場合には，後のジョブは実行せずに待機させる。従って，複数のジョブを受け付けて並行処理を行うＭＦＰ１であっても，後のジョブによって先のジョブが影響を受けることが防止されている。
【００４１】
なお，本形態は単なる例示にすぎず，本発明を何ら限定するものではない。したがって本発明は当然に，その要旨を逸脱しない範囲内で種々の改良，変形が可能である。
例えば，第２のジョブとしてコピージョブを受信してジョブ制御の対象となった場合に，スキャン処理の部分のみを先に並行処理するようにしてもよい。
また例えば，ＭＦＰが各種のフィニッシャ付きの装置である場合には，フィニッシャを使用するジョブにも振動の大きいものがある。そこで，フィニッシャを使用するジョブもジョブ制御の対象とするとよい。
また例えば，ジョブ制御によってジョブが待機された場合には，操作パネル３０等に待機されていることを表示するようにしてもよい。
【図面の簡単な説明】
【００４２】
【図１】本形態のＭＦＰの概略構成を示すブロック図である。
【図２】本形態のＭＦＰのコントローラの概略構成を示すブロック図である。
【図３】各処理部の振動発生状況の例を示す説明図である。
【図４】記憶部の記憶内容の例を示す説明図である。
【図５】ジョブ制御処理の例を示すフローチャートである。
【図６】新規ジョブ処理ルーチンを示すフローチャートである。
【符号の説明】
【００４３】
１  ＭＦＰ（多機能画像取扱装置）
１１  ＦＡＸ部（画像取扱部）
１２  スキャナ部（画像取扱部）
１３  データ入出力部（画像取扱部）
１４  プリント部（画像取扱部，画像形成部）
１５  画像処理部（画像取扱部）
１７  ＨＤＤ（可動式記憶部）
２３  ジョブ制御部（並行処理決定部，新ジョブ開始部，新ジョブ待機部）
４０  ジョブ制御データ（可否テーブル）
【図１】
2006270615.tif 000003
【図２】
2006270615.tif 000004
【図３】
2006270615.tif 000005
【図４】
2006270615.tif 000006
【図５】
2006270615.tif 000007
【図６】
2006270615.tif 000008